(57)【要約】【課題】大型、小型両方の電池に短時間で接続できるバッテリー端子を提供する。【解決手段】大型バッテリーポストに外嵌されるポスト挿入穴２ａ、その対面に小型バッテリーポストに外嵌されるポスト挿入穴２ｂ、両ポスト挿入穴の穴径を収縮しバッテリーポストを締付け固定可能なボルト１ａとナット１ｂ、電線と本バッテリー端子とを接続する電線接続ボルト３を備えるバッテリー端子。【選択図】図１
2018129122.tif 000002
【特許請求の範囲】
【請求項１】
大型バッテリーポストに外嵌されるポスト挿入穴、その対面に小型バッテリーポストに外嵌されるポスト挿入穴、両ポスト挿入穴の穴径を収縮しバッテリーポストを締付け固定可能なボルトとナット、電線と本バッテリー端子とを接続する電線接続ボルトからなるバッテリー端子。
【発明の詳細な説明】
【技術分野】
【０００１】
本発明は、バッテリー端子に関する。
【背景技術】
【０００２】
従来、バッテリーの電極であるバッテリーポストに電線を接続するために用いられるバッテリー端子の一例として、特許文献1に記載されたものが知られている。
【０００３】
このバッテリー端子は、バッテリー本体に立設されたバッテリーポストに外嵌されるポスト挿入穴、ポスト挿入穴の穴径を収縮しバッテリーポストを締付け固定可能なボルトとナット、外部装置と接続するための電線と本端子とを接続固定する電線接続ボルトを備える。
【０００４】
このようなバッテリー端子は１つサイズのバッテリーポストにしか対応しておらず、電線の接続先を別サイズのバッテリーポストに付け替える際には、そのサイズに対応したバッテリー端子を別個用意し、取り替える必要がある。
【先行技術文献】
【特許文献】
【０００５】
【特許文献１】特開２００２−１８４３８８号公報
【発明の概要】
【発明が解決しようとする課題】
【０００６】
しかしながら、複数のバッテリーポストサイズに対応したバッテリー端子を用意する必要があるため、用意すべきバッテリー端子が増加し、金銭的損失の増加に繋がる。
また、異なるサイズのバッテリーポストに接続するためには、電線の先に接続されたバッテリー端子を取り替える必要があり、取り替えに費やした時間だけ時間的損失が発生する。
【０００７】
本発明の目的は、異なるサイズのバッテリーポストに接続する場合でも、取り替える必要なく使用でき、短時間で接続できるバッテリー端子を提供することである。
【課題を解決するための手段】
【０００８】
本発明は、大型バッテリーポストに外嵌されるポスト挿入穴、その対面に小型バッテリーポストに外嵌されるポスト挿入穴を備えることに特徴を有する。
すなわち、本発明は、大型バッテリーポストに外嵌されるポスト挿入穴、その対面に小型バッテリーポストに外嵌されるポスト挿入穴、両ポスト挿入穴の穴径を収縮しバッテリーポストを締付け固定可能なボルトとナット、電線と本バッテリー端子とを接続する電線接続ボルトからなるバッテリー端子に関する。
このような構造であれば、異なるサイズのバッテリーポストに接続する際に、バッテリー端子の上下を反転させることで、電線との接続はそのままに異なるサイズのバッテリーポストと接続できる。
【発明の効果】
【０００９】
本発明によれば、異なるサイズのバッテリーポストに接続する場合においてもバッテリー端子を取り替える必要なく接続可能であり、バッテリー端子取り替えの時間的損失および、異なるサイズのバッテリーポストに対応したバッテリー端子を用意する金銭的損失を少なくすることができる。
【図面の簡単な説明】
【００１０】
【図１】本発明のバッテリー端子を説明する概念図で、上側の図は上面図、下側の図は、正面図である。
【発明を実施するための形態】
【００１１】
本発明の実施形態を図1によって説明する。
本実施形態におけるバッテリー端子は、電線と接続するための電線接続ボルト３を有している。ボルトだけで固定するために、バッテリー端子本体側には雌ねじ部４を有することが好ましい。電線は、圧着端子丸形などで電線の一端を接続し丸形端子をボルトに挿入し、機械的にしっかりと固定する。また、ボルトを蝶ねじとして簡単に固定したり、２枚の金属板の一方または両方に溝を形成し、溝に電線を載置して２枚の金属板同士を、２個のボルトで締付け固定するなどしてもよい。
【００１２】
本発明のバッテリー端子は、大型バッテリー本体に立設された大型バッテリーポスト（Ｄサイズ端子）に外嵌されるポスト挿入穴２ａ、小型バッテリー本体に立設された小型バッテリーポスト（Ｂサイズ端子）に外嵌されるポスト挿入穴２ｂを有している。バッテリーポストはテーパのついた円柱台形に構成されているため、それぞれのポスト挿入穴２ａ、２ｂのバッテリー端子中央側の径は、バッテリー端子端側の径よりも小さい径に形成されている。その際のポスト挿入穴２ａ、２ｂのテーパ角は、バッテリーポストのテーパ角と同一であることが好ましい。
【００１３】
大型バッテリーポストをポスト挿入穴２ａに挿入した際、大型バッテリーポストの上端が小型バッテリーポスト挿入穴２ｂを形成する縁と干渉してしまわないように、大型バッテリーポストのポスト挿入穴２ａのバッテリー端子端側径と同じ径を持つ位置からバッテリーポスト上部までの高さよりもポスト挿入穴２ａの高さを高くすることが好ましい。
【００１４】
ポスト挿入穴にバッテリーポストを挿入しただけではバッテリーポストとバッテリー端子を固定できないが、バッテリーポスト締付け用のボルト１ａとナット１ｂを締付けることで、ポスト挿入穴の径が収縮し、バッテリーポストとバッテリー端子を固定できる。
【００１５】
バッテリーポスト締付け用ボルト１ａとナット１ｂに対して、バッテリーポスト挿入穴２ａ、２ｂの端側との距離が大きくなるほど、バッテリーポストを締付け固定する力が弱まり、脱落の原因となりうる。ゆえにバッテリー端子の厚みは可能な限り薄いことが好ましい。
【００１６】
一方で、小型バッテリーポストを挿入するポスト挿入穴２ｂの厚さが極端に薄い場合も締付け固定する力の低下に繋がるため、少なくとも１０ｍｍ程度の厚みを有することが好ましい。
【００１７】
本発明のバッテリー端子を、例えば、二次電池で使用量の多い、自動車用の鉛蓄電池（ＪＩＳ  Ｄ５３０１：２００６年、「始動用鉛蓄電池」（Lead-acid starter batteries））で説明すると、バッテリーポストは、テーパ端子としてＴ１（細端子）とＴ２（太端子）の２種類に規格化されており、テーパ端子Ｔ1の正極端子、負極端子、テーパー端子Ｔ２の正極端子、負極端子の形状や寸法がそれぞれ規格されている。その寸法は、表１のように規定されている。
【００１８】
【表１】
2018129122.tif 000003
【００１９】
鉛蓄電池の端子（ポスト）は、鉛合金製で、テーパー端子とされ、電極に近い側のテーパー端子径Ｄ（最大径）は、表１のＤ寸法で示している。正極端子と負極端子は、それぞれに接続される端子を間違わないように正極端子径を負極端子径より太くして、接続される電極を間違わないようにしている。
バッテリー端子には、正極端子、負極極端子がそれぞれ識別できるように「＋」（プラス）、「−」（マイナス）等の記号で識別している場合もあり、図１の場合は、正極側端子を示している。鉛蓄電池の端子（ポスト）側にも、正極端子、負極端子が分かるように表示されている。
鉛蓄電池の端子（ポスト）のテーパーは、正極端子、負極端子ともに共通で、テーパー１／９とされており、高さ９ｍｍで１ｍｍ狭くなるようにテーパー（傾斜）を設ける。端子の高さはＴ１、Ｔ２ともに共通で１７ｍｍ（＋３ｍｍ、−０ｍｍ）と規定されている。
鉛蓄電池の端子（ポスト）の位置は、鉛蓄電池の形式を表す記号群の末尾で表され（例えば、２８Ｂ１７Ｌの場合のＬ）、長さ方向の一辺側に正極端子と負極端子の両方の端子があり、長さ方向を左右に置き、その端子が下側（手前側）になるように見て、左側に負極端子がある場合を「Ｌ」で、右側に負極端子がある場合を「Ｒ」で表し、また、幅方向の一辺側に端子がある場合を記号なしで表す。
【００２０】
鉛蓄電池は、乗用車、軽商業車用のクラスＡと、トラック、バス、タクシー、産業車両、建設車両用のクラスＢとに分類され、クラスＡの中にテーパ端子Ｔ１とテーパ端子Ｔ２を用いるものが混在し、クラスＢは、テーパー端子Ｔ２が用いられている。
鉛蓄電池の寿命や故障により、新しい鉛蓄電池に交換する場合、同じ形式の鉛蓄電池では、端子形状が同じであるため交換は、容易であるが、例えば、Ｔ１端子の鉛蓄電池を交換しようとした際に、Ｔ１端子の鉛蓄電池の在庫がなく、Ｔ２端子の鉛蓄電池があった場合、臨時的にテーパー端子Ｔ２の鉛蓄電池を取り付けて使用しようとすると、テーパー端子Ｔ２の外径が大きいためバッテリー端子が入らず、接続し、機械的に固定することができない。ここで、本発明の大型バッテリーポストに外嵌されるポスト挿入穴２ａ（Ｔ２端子用）と、その対面に小型バッテリーポストに外嵌されるポスト挿入穴２ｂ（Ｔ１端子用）を有するバッテリー端子に交換することで、ポスト挿入穴が大きい大型バッテリーポストを用いてテーパー端子Ｔ２と接続することができる。そして、臨時的に使用していた鉛蓄電池の代わりに新たに入手したＴ１端子を有する鉛蓄電池と交換する場合、本発明のバッテリー端子を臨時に使用した鉛蓄電池のテーパー端子Ｔ２から外し、Ｔ１端子を有する鉛蓄電池のＴ１端子に本発明のバッテリー端子の小型バッテリーポストを用いてＴ１端子を接続固定する。このようにすることで、次回からテーパー端子Ｔ１、Ｔ２の両者に対応できるバッテリー端子となり、交換作業が更に容易となる。
【符号の説明】
【００２１】
１ａ：バッテリーポスト（テーパー端子）締付け用のボルト
１ｂ：バッテリーポスト（テーパー端子）締付け用のナット
２ａ：ポスト挿入穴（Ｄサイズ端子）
２ｂ：ポスト挿入穴（Ｂサイズ端子）
３：電線接続ボルト
４：雌ねじ部
【図１】
2018129122.tif 000004